【手続補正書】
【提出日】平成23年11月15日(2011.11.15)
【手続補正１】
【補正対象書類名】特許請求の範囲
【補正対象項目名】全文
【補正方法】変更
【補正の内容】
【特許請求の範囲】
【請求項１】
盗撮を防止する機能を備える撮影装置において、
被写体を撮影して画像データを生成する撮影手段と、
該撮影手段に撮影を実行させるための撮影指示信号を送出する撮影指示手段と、
前記撮影手段により生成された画像データを記憶する画像データ記憶手段と、
所定の音を出力する音声出力手段と、
該音声出力手段の特性データを検出する検出手段と、
該検出手段によって検出された特性データと比較する特性基準データを記憶する特性基準データ記憶手段と、
所定のタイミングで前記音声出力手段に所定の音を出力させ、この出力の際に前記検出手段によって検出された前記音声出力手段の特性データと前記特性基準データ記憶手段に記憶された特性基準データとを比較し、両者が不一致であると判定した場合、前記撮影手段により生成された画像データを前記画像データ記憶手段に記憶させないようにする規制手段と、を備えていることを特徴とする撮影装置。
【請求項２】
前記規制手段は、所定のタイミングで前記音声出力手段に所定の音を出力させ、この出力の際に前記検出手段によって検出された前記音声出力手段の特性データと前記特性基準データ記憶手段に記憶された特性基準データとを比較し、両者が不一致であると判定した場合、当該撮影装置の電源を強制的に落とすことにより、前記撮影手段により生成された画像データを前記画像データ記憶手段に記憶させないようにすることを特徴とする請求項１に記載の撮影装置。
【請求項３】
前記所定のタイミングは、撮影が実行されたときとは異なるタイミングであることを特徴とする請求項１又は請求項２に記載の撮影装置。
【請求項４】
前記所定のタイミングは、電源スイッチが操作されたときであることを特徴とする請求項３に記載の撮影装置。
【請求項５】
前記検出手段は、前記音声出力手段の特性データを、マイクを介さずに検出することを特徴とする請求項１乃至請求項４に記載の撮影装置。
【請求項６】
前記所定の音は、前記撮影指示手段が操作されたときのシャッター擬似音とは異なる前記音声出力手段の特性を判定するための特性判定用の音であることを特徴とする請求項１乃至請求項５の何れかに記載の撮影装置。
【請求項７】
前記所定の音は、人間に聞こえない周波数帯域の低周波音或いは高周波音であることを特徴とする請求項６に記載の撮影装置。
【請求項８】
前記特性データは、前記音声出力手段のインピーダンス特性、周波数特性、或いは歪み特性であることを特徴とする請求項１乃至請求項７の何れかに記載の撮影装置。
【請求項９】
前記規制手段により特性データと特性基準データが略一致したと判定されたとき、この特性データを特性基準データとして前記特性基準データ記憶手段に記憶させるフィードバック手段を有することを特徴とする請求項１乃至請求項８の何れかに記載の撮影装置。
【請求項１０】
前記フィードバック手段は、撮影が実行されたときのシャッター擬似音の変化に応じて前記特性基準データを変更することを特徴とする請求項９に記載の撮影装置。
【請求項１１】
前記フィードバック手段は、所定の長期間が経過する度に、特性基準データを前記特性基準データ記憶手段に記憶させることを特徴とする請求項９に記載の撮影装置。
【請求項１２】
盗撮を防止する機能を備えるコンピュータを
被写体を撮影して画像データを生成する撮影手段、
該撮影手段に撮影を実行させるための撮影指示信号を送出する撮影指示手段、
前記撮影手段により生成された画像データを記憶する画像データ記憶手段、
所定の音を出力する音声出力手段、
該音声出力手段の特性データを検出する検出手段、
該検出手段によって検出された特性データと比較する特性基準データを記憶する特性基準データ記憶手段、
所定のタイミングで前記音声出力手段に所定の音を出力させ、この出力の際に前記検出手段によって検出された前記音声出力手段の特性データと前記特性基準データ記憶手段に記憶された特性基準データとを比較し、両者が不一致であると判定した場合、前記撮影手段により生成された画像データを前記画像データ記憶手段に記憶させないようにする規制手段、
として機能させるためのプログラム。
【手続補正２】
【補正対象書類名】明細書
【補正対象項目名】発明の名称
【補正方法】変更
【補正の内容】
【発明の名称】撮影装置及びプログラム
【手続補正３】
【補正対象書類名】明細書
【補正対象項目名】０００１
【補正方法】変更
【補正の内容】
【０００１】
本発明は、盗撮防止機能を備える撮影装置及びプログラムに関する。
【手続補正４】
【補正対象書類名】明細書
【補正対象項目名】００１１
【補正方法】変更
【補正の内容】
【００１１】
前記所定のタイミングは、撮影が実行されたときとは異なるタイミングであるようにすることができる。
又、前記所定のタイミングは、電源スイッチが操作されたときであるようにすることができる。
又、前記検出手段は、前記音声出力手段の特性データを、マイクを介さずに検出することができる。
又、前記所定の音は、前記撮影指示手段が操作されたときのシャッター擬似音とは異なる前記音声出力手段の特性を判定するための特性判定用の音であるようにすることができる。
又、前記所定の音は、人間に聞こえない周波数帯域の低周波音或いは高周波音であるようにすることができる。
又、前記特性データは、前記音声出力手段のインピーダンス特性、周波数特性、或いは歪み特性であるようにすることができる。
【手続補正５】
【補正対象書類名】明細書
【補正対象項目名】００１２
【補正方法】変更
【補正の内容】
【００１２】
又、本発明に撮影装置は、前記規制手段により特性データと特性基準データが略一致したと判定されたとき、この特性データを特性基準データとして前記特性基準データ記憶手段に記憶させるフィードバック手段を有することもある。
又、前記フィードバック手段は、撮影が実行されたときのシャッター擬似音の変化に応じて前記特性基準データを変更するようにすることができる。
【手続補正６】
【補正対象書類名】明細書
【補正対象項目名】００１３
【補正方法】変更
【補正の内容】
【００１３】
又、前記フィードバック手段は、所定の長期間が経過する度に、特性基準データを前記特性基準データ記憶手段に記憶させるようにすることができる。
【手続補正７】
【補正対象書類名】明細書
【補正対象項目名】００１４
【補正方法】変更
【補正の内容】
【００１４】
本発明のプログラムは、盗撮を防止する機能を備えるコンピュータを被写体を撮影して画像データを生成する撮影手段、該撮影手段に撮影を実行させるための撮影指示信号を送出する撮影指示手段、前記撮影手段により生成された画像データを記憶する画像データ記憶手段、所定の音を出力する音声出力手段、該音声出力手段の特性データを検出する検出手段、該検出手段によって検出された特性データと比較する特性基準データを記憶する特性基準データ記憶手段、所定のタイミングで前記音声出力手段に所定の音を出力させ、この出力の際に前記検出手段によって検出された前記音声出力手段の特性データと前記特性基準データ記憶手段に記憶された特性基準データとを比較し、両者が不一致であると判定した場合、前記撮影手段により生成された画像データを前記画像データ記憶手段に記憶させないようにする規制手段、として機能させることを特徴とする。